(57)【要約】【課題】許容重量範囲を簡単に設定することが可能な計量装置を提供する。【解決手段】被計量物を載置可能な計量皿と、前記計量皿に載置された被計量物の重量を計量可能な計量部と、前記計量皿に載置された被計量物が取り除かれる際の重量を少なくとも含む計量情報を蓄積し、蓄積された前記計量情報に基づいて前記被計量物の許容重量範囲を決定し、前記許容重量範囲を記憶する上下限値簡単設定機能を実行可能な機能実行部と、を具備した。【選択図】図６
2019015669.tif 000002
【特許請求の範囲】
【請求項１】
被計量物を載置可能な載置部と、
前記載置部に載置された被計量物の重量を計量可能な計量部と、
前記載置部に載置された被計量物が取り除かれる際の重量を少なくとも含む計量情報を蓄積し、蓄積された前記計量情報に基づいて前記被計量物の許容重量範囲を決定し、前記許容重量範囲を記憶する許容範囲設定機能を実行可能な機能実行部と、
を具備する計量装置。
【請求項２】
前記機能実行部は、
前記許容範囲設定機能により前記許容重量範囲が記憶された場合、前記計量部によって計量される被計量物が記憶された当該許容重量範囲に含まれているか否かを判定する第一判定機能の実行を開始する、
請求項１に記載の計量装置。
【請求項３】
前記許容範囲設定機能は、
前記許容重量範囲を前記被計量物の品種ごとに記憶するものであり、
前記機能実行部は、
前記計量部によって計量される前記被計量物の前記計量情報に基づいて、前記許容範囲設定機能により記憶された品種ごとの前記許容重量範囲の中から最適な前記許容重量範囲を選択する許容範囲選択機能を実行可能である、
請求項１又は請求項２に記載の計量装置。
【請求項４】
前記機能実行部は、
前記許容範囲選択機能により前記許容重量範囲が選択された場合、前記計量部によって計量される被計量物が選択された当該許容重量範囲に含まれているか否かを判定する第二判定機能の実行を開始する、
請求項３に記載の計量装置。
【発明の詳細な説明】
【技術分野】
【０００１】
本発明は、被計量物の重量を計量する計量装置に関する。
【背景技術】
【０００２】
後掲の特許文献１は、上記計量装置の一例を開示している。特許文献１に記載の計量装置は、計量した被計量物の重量が２つの基準値（下限値及び上限値）の範囲（許容重量範囲）に含まれているか否かを判定する機能（上下限判別機能）を有している。
【０００３】
特許文献１に記載の技術では、被計量物を計量している状態（計量皿に被計量物を載置した状態）で所定の操作キーの操作を行うことで、当該被計量物の重量を下限値として設定できる。また、当該下限値に基づいて上限値が自動的に決定される。このように、下限値を決定することで自動的に上限値も決定されるため、許容重量範囲を比較的簡単に設定することができる。
【先行技術文献】
【特許文献】
【０００４】
【特許文献１】特開２０１６−１４８５３２号公報
【発明の概要】
【発明が解決しようとする課題】
【０００５】
しかしながら、特許文献１に記載の技術では、許容重量範囲を設定する際には計量皿に正確な重量（下限値）の被計量物を載置する必要があるため、当該作業が煩雑である点で改善の余地があった。
【０００６】
本発明は、上記課題を解決するため、許容重量範囲を簡単に設定することが可能な計量装置を提供することを目的とする。
【課題を解決するための手段】
【０００７】
上記目的を達成するために、本発明の一態様に係る計量装置は、被計量物を載置可能な載置部と、前記載置部に載置された被計量物の重量を計量可能な計量部と、前記載置部に載置された被計量物が取り除かれる際の重量を少なくとも含む計量情報を蓄積し、蓄積された前記計量情報に基づいて前記被計量物の許容重量範囲を決定し、前記許容重量範囲を記憶する許容範囲設定機能を実行可能な機能実行部と、を具備する。
【０００８】
本発明によると、許容重量範囲を簡単に設定することができる。
【図面の簡単な説明】
【０００９】
【図１】本発明の一実施形態に係る計量装置の全体的な構成を示した斜視図。
【図２】同じく、側面断面模式図。
【図３】同じく、制御に関する構成を示したブロック図。
【図４】計量装置のモード遷移の一例を示したモード遷移図。
【図５】はかり設定モードが有する項目及び設定値を示したブロック図。
【図６】上下限値簡単設定機能を用いた下限値等の設定手順を示したフローチャート。
【図７】計量情報の一例を示した図。
【図８】複数回計量する様子を示した図。
【図９】上下限値簡単呼び出し機能を用いた下限値等の呼び出しの手順を示したフローチャート。
【図１０】計量情報を比較するイメージを示した図。
【図１１】電源投入時計量モードにおける各機能の実行手順を示したフローチャート。
【図１２】自動設定機能又は上下限判別機能における手動による設定の様子を示したフローチャート。
【図１３】ランク選別機能における手動による設定の様子を示したフローチャート。
【発明を実施するための形態】
【００１０】
以下では、図中に示した矢印に従って、前後方向、上下方向及び左右方向をそれぞれ定義する。なお、本明細書では、「所定のキー操作」という用語を多用しているが、計量装置１が有する各種操作ボタンの１つの操作ボタンの操作や、複数の操作ボタンの組合せのことをいう。そして、１または複数の操作ボタンを操作するにあたり、どの１の操作ボタンの操作をするか、あるいは、どの操作ボタンの組合せを操作するかについては、これから実行しようとする機能やモードに応じて、それぞれが適宜異なるように予め設定されている。
【００１１】
まず、図１及び図２を用いて、本発明の一実施形態に係る計量装置１の構成の概略を説明する。
【００１２】
計量装置１は、被計量物の重量を計量するものである。ここで、被計量物とは、計量装置１によって計量される種々の物、例えば、じゃがいも、タマネギ、桃、ぶどう、人参といった物を意味する。これらは、数個集まった単位で計り売りされる場合がある。計量装置１は、主として本体部１０及び計量皿２０を具備する。
【００１３】
本体部１０は、計量装置１の主たる構造体となるものである。本体部１０は、主として筐体１１、乾電池１２、ロードセル１３、操作キー群１４、液晶表示部１５、ＬＥＤ表示部１６及び制御基板１７を具備する。
【００１４】
筐体１１は、略箱状に形成される部材である。筐体１１の前面は、後上方から前下方に向けて傾斜するように形成される。
【００１５】
乾電池１２は、計量装置１の電力源となるものである。乾電池１２は、筐体１１内の前部に配置される。
【００１６】
ロードセル１３は、荷重を検出するセンサである。ロードセル１３は、筐体１１内の前後中途部から後部に亘って配置される。ロードセル１３は、荷重が加わることによって生じるひずみを検出することで、当該荷重を検出することができる。
【００１７】
操作キー群１４は、計量装置１に関する操作を行うためのものである。操作キー群１４は、筐体１１の前面の左端部近傍に配置される。操作キー群１４は、主として第一操作キー１４ａ、第二操作キー１４ｂ、第三操作キー１４ｃ及び第四操作キー１４ｄを具備する。
【００１８】
第一操作キー１４ａは、主として計量装置１の電源を入り切りする際に使用される。第一操作キー１４ａが押し込み操作されると、計量装置１の電源が入る。また計量装置１の電源が入れられた状態で、第一操作キー１４ａが所定時間の間押し込み操作され続ける（長押しされる）と、当該計量装置１の電源が切れる。
【００１９】
第二操作キー１４ｂは、主として液晶表示部１５の表示を切り替える際に使用される。具体的には、計量皿２０に何も載置されていない状態で第二操作キー１４ｂが押し込み操作される度に、液晶表示部１５に表示される情報（例えば、各種の設定値等）が所定の順番で切り替えられる。
また、第二操作キー１４ｂは、後述する「はかり設定モード」において、液晶表示部１５に表示される項目を切り替える際に使用される。
【００２０】
第三操作キー１４ｃは、主として風袋引きを行う際に使用される。第三操作キー１４ｃを用いて風袋引きが行われる様子については、後述する。
また、第三操作キー１４ｃは、後述する「はかり設定モード」において、液晶表示部１５に表示される設定値を増加させる際に使用される。
【００２１】
第四操作キー１４ｄは、主として零点リセットを行う際に使用される。第四操作キー１４ｄを用いて零点リセットが行われる様子については、後述する。
また、第四操作キー１４ｄは、後述する「はかり設定モード」において、後述する液晶表示部１５に表示される設定値を減少させる際に使用される。
【００２２】
液晶表示部１５は、計量装置１に関する各種の情報を表示するものである。液晶表示部１５は、筐体１１の前面の左右略中央部に配置される。
【００２３】
ＬＥＤ表示部１６は、被計量物の重量が予め設定された範囲に含まれているか否かを表示するものである。ＬＥＤ表示部１６は、筐体１１の前面の左右略中央部、かつ液晶表示部１５の前下方に配置される。ＬＥＤ表示部１６は、赤色、青色又は黄色に点灯することが可能である。
【００２４】
制御基板１７は、計量装置１に関する各種の演算や記憶等の制御を行うためのものである。制御基板１７には、後述する記憶部３３ａや演算部３３ｂ等が配置される。制御基板１７は、筐体１１内の前部（当該筐体１１の前面のすぐ背後）に配置される。
【００２５】
計量皿２０は、略矩形板状の部材である。計量皿２０は広い上面を有し、当該上面に載置された被計量物を保持することができる。計量皿２０は本体部１０の上方に配置される。計量皿２０の下面略中央部は、ロードセル１３に固定されて支持される。これによって、計量皿２０に載置される被計量物の荷重が、ロードセル１３に加えられることになる。
【００２６】
次に、図３を用いて、計量装置１の制御に関する構成について説明する。
【００２７】
計量装置１は、制御に関する構成として、制御部３３、ロードセル１３、増幅回路３１、Ａ／Ｄコンバータ３２、操作キー群１４、液晶表示部１５及びＬＥＤ表示部１６を具備する。
【００２８】
制御部３３は、計量装置１に関する制御を行うものである。制御部３３は、主として記憶部３３ａ及び演算部３３ｂを具備する。
【００２９】
記憶部３３ａは、種々の情報を記憶するものである。記憶部３３ａは、ＲＡＭ及びＲＯＭ等により構成される。記憶部３３ａには、計量装置１の制御に関するプログラム等が予め記憶されている。また、記憶部３３ａには、計量装置１の制御に関する新たな情報を記憶することができる。
【００３０】
演算部３３ｂは、種々の演算を行うものである。演算部３３ｂは、ＣＰＵ等により構成される。演算部３３ｂは、記憶部３３ａに記憶されているプログラムを実行することにより、計量装置１の制御を行う。
【００３１】
増幅回路３１は、ロードセル１３から受信したアナログ信号を増幅するものである。増幅回路３１は、増幅したアナログ信号を、後述するＡ／Ｄコンバータ３２に送信する。
【００３２】
Ａ／Ｄコンバータ３２は、増幅回路３１から受信したアナログ信号をデジタル信号へと変換するものである。Ａ／Ｄコンバータ３２は、変換されたデジタル信号を、制御部３３（演算部３３ｂ）に送信する。
【００３３】
また、操作キー群１４からの操作信号は、制御部３３（演算部３３ｂ）に送信される。制御部３３は、当該操作信号に基づいて計量装置１の制御を行う。
【００３４】
また、制御部３３（演算部３３ｂ）は、液晶表示部１５に表示信号を送信することにより、当該液晶表示部１５に所定の情報を表示させることができる。
【００３５】
また、制御部３３（演算部３３ｂ）は、ＬＥＤ表示部１６に表示信号を送信することにより、当該ＬＥＤ表示部１６を赤色、青色又は黄色に点灯させることができる。
【００３６】
次に、上述の如く構成された計量装置１が有する５つの状態（モード）、具体的には「電源投入時計量モード」、「品種番号選択モード」、「判別計量モード」、「品種設定モード」及び「はかり設定モード」について説明する。
【００３７】
図４は、計量装置１のモード遷移の一例を示したモード遷移図である。計量装置１の制御部３３は、最初に電源が投入されたときには（図中の矢印（１））、「電源投入時計量モード」を実行する。最初に電源が投入された場合に実行される「電源投入時計量モード」においては、後述する「通常計量機能」が実行され、その他の機能（「上下限値判別機能」等）は実行されない。制御部３３は、この「電源投入時計量モード」の状態を、何ら他のモードへの切替操作がなされないかぎり、電源がオフされるまでの間、継続する。
【００３８】
後述する「はかり設定モード」から「電源投入時計量モード」へと切り替えられた場合（図中の矢印（１１）及び（１））には、「通常計量機能」以外の機能が実行されている場合がある。例えば、「はかり設定モード」においては、後述のように、「自動設定機能」が実行中の場合がある。この場合、所定のキー操作がなされると（図中の矢印（２））、制御部３３は、「電源投入時計量モード」から「判別計量モード」へと状態を切り替える。「判別計量モード」は、後述する「上下限判別機能」、「ランク選別機能」等を実行して、被計量物を重量に応じて仕分ける機能を有している。
【００３９】
また「電源投入時計量モード」の状態において「品種番号選択モード」への切替操作がなされたときには（図中の矢印（３））、制御部３３は、「電源投入時計量モード」から「品種番号選択モード」へと状態を切り替える。「品種番号選択モード」は、被計量物の品種等に応じた設定値を呼び出すための機能を有する。
【００４０】
「品種番号選択モード」の状態において、被計量物の品種（品種番号）を選択する操作がなされたときには（図中の矢印（４））、制御部３３は、「品種番号選択モード」から「判別計量モード」へと状態を切り替える。また「判別計量モード」の状態において「品種番号選択モード」への切替操作がなされたときには（図中の矢印（５））、制御部３３は、「判別計量モード」から「品種番号選択モード」へと状態を切り替える。
【００４１】
「品種番号選択モード」の状態において「品種設定モード」への切替操作がなされたときには（図中の矢印（６））、制御部３３は、「品種番号選択モード」から「品種設定モード」へと状態を切り替える。「品種設定モード」は、品種ごと（後述するテーブルごと）に記憶されている設定値を手動で変更するための機能を有する。
【００４２】
「品種設定モード」において、品種ごとの設定値の手動設定が完了したときには（図中の矢印（７））、制御部３３は、「品種設定モード」から「判別計量モード」へと状態を切り替える。
【００４３】
「判別計量モード」において「電源投入時計量モード」への切替操作がなされたときには（図中の矢印（８））、制御部３３は、「判別計量モード」から「電源投入時計量モード」へと状態を切り替える。「判別計量モード」から「電源投入時計量モード」に切り替えられた場合には、後述する「通常計量機能」が実行され、その他の機能（「上下限値判別機能」等）は実行されない。
【００４４】
「電源投入時計量モード」又は「判別計量モード」において「はかり設定モード」への切替操作がなされたときには（図中の矢印（９）又は（１０））、制御部３３は、「はかり設定モード」へと状態を切り替える。「はかり設定モード」は、計量装置１を所定の機能が実行できる状態に変更したり、各種の設定を変更したりするためのモードである。「はかり設定モード」においては、後述の設定値が適宜変更され、所定の操作がなされたときには（図中の矢印（１１））、制御部３３は、計量装置１を再起動させ、「電源投入時計量モード」へと状態を切り替える（図中の矢印（１１）及び（１））。
【００４５】
電源がオフされないかぎりは、制御部３３は、実行中のモード、すなわち、「電源投入時計量モード」、「品種番号選択モード」、「判別計量モード」、「品種設定モード」、「はかり設定モード」のいずれかのモードを継続する。一方で、電源がオフされたときには、制御部３３への電源供給が終了されるなどによって、実行中のモードが終了される。
【００４６】
以下、「はかり設定モード」について説明する。「電源投入時計量モード」又は「判別計量モード」において、操作キー群１４を用いて所定の操作が行われる（例えば、第三操作キー１４ｃと第四操作キー１４ｄが同時に押し込み操作される）と、制御部３３は、計量装置１の状態を「はかり設定モード」に切り替える（図４中の矢印（９）及び（１０））。
【００４７】
図５に示すように、「はかり設定モード」では、主に「機能の選択」（項目０１）、「ブザーに関する設定」（項目０２）及び「ランプに関する設定」（項目０３）等を選択して実行することができる。なお、上記項目０１から項目０３までは一例として示したものであり、「はかり設定モード」はその他の項目も有しているものとする。以下では、図３及び図５を用いて、「はかり設定モード」における各項目（項目０１から項目０３まで）の選択方法を説明した後に、各項目（項目０１から項目０３まで）の詳細についてそれぞれ説明する。
【００４８】
制御部３３は、「はかり設定モード」に切り替えられると、まず項目０１を示す表示（例えば、「０１」という数字）を液晶表示部１５の左側部分に表示させる。この状態で作業者が第二操作キー１４ｂを押し込み操作すると、制御部３３は次の項目（すなわち、項目０２）を示す表示（例えば、「０２」という数字）を液晶表示部１５に表示させる。
【００４９】
同様に、作業者が第二操作キー１４ｂを押し込み操作する度に、制御部３３は次の項目を示す表示を順に液晶表示部１５に表示させる。
【００５０】
計量装置１が有する最後の項目を示す表示が液晶表示部１５に表示されている状態で、さらに第二操作キー１４ｂが押し込み操作された場合、制御部３３は再び項目０１を示す表示を液晶表示部１５に表示させる。
【００５１】
このように、作業者は、第二操作キー１４ｂを繰り返し押し込み操作することで、各項目の中から所望の項目を選択して液晶表示部１５の左側部分に表示させることができる。
【００５２】
また、各項目を示す表示が液晶表示部１５の左側部分に表示された状態においては、当該項目に関する設定値が液晶表示部１５の右側部分に表示される。ここで、当該設定値とは、各項目の設定内容を示す値である。各項目における設定値の詳細については後述する。
【００５３】
作業者が第三操作キー１４ｃを押し込み操作すると、制御部３３は液晶表示部１５に表示された設定値を増加させる。また、作業者が第四操作キー１４ｄを押し込み操作すると、制御部３３は液晶表示部１５に表示された設定値を減少させる。このように、作業者は第三操作キー１４ｃ又は第四操作キー１４ｄを繰り返し押し込み操作することで、設定値を所望の値に変更することができる。
【００５４】
このようにして、作業者は所望の項目を選択し、当該項目の設定値を所望の値に変更することができる。また、設定値を変更した後で、操作キー群１４を用いて所定の決定操作が行われると、制御部３３は、当該項目の設定値を記憶する。当該決定操作としては、例えば、第二操作キー１４ｂの押し込み操作がある。当該決定操作が行われると、設定値が記憶されるとともに、項目が次へと送られる。またこの際、制御部３３は、当該設定値に所定の機能が割り当てられている場合には、計量装置１を当該機能が実行できる状態に変更する。その後、制御部３３は、計量装置１を再起動させる。
【００５５】
次に、各項目（項目０１から項目０３まで）の詳細についてそれぞれ説明する。
【００５６】
「機能の選択」（項目０１）は、計量装置１が有する機能を選択し、当該機能を実行可能な状態とするための項目である。項目０１の設定値には、計量装置１が有する機能がそれぞれ割り当てられている。具体的には、設定値０００には「通常計量機能」、設定値００１には「上下限判別機能」、設定値００２には「ランク選別機能」、設定値００３には「自動設定機能」がそれぞれ割り当てられている。なお、上記設定値０００から設定値００３までは一例として示したものであり、その他の設定値にはその他の機能が割り当てられているものとする。
【００５７】
「通常計量機能」（設定値０００）は、単に被計量物の重量を計量する機能である。詳細は後述する。
【００５８】
「上下限判別機能」（設定値００１）は、被計量物の重量が、予め設定された範囲（許容重量範囲）に含まれるか否か（具体的には、下限値ＬＬと上限値ＵＬとの間の値であるか否か）を、ＬＥＤ表示部１６に表示させる機能である。
【００５９】
具体的には、「判別計量モード」において、「上下限判別機能」が実行された状態で計量皿２０に被計量物が載置されると、制御部３３は当該被計量物の重量を算出する。詳細には、計量皿２０に被計量物が載置されると、当該計量皿２０に加わる荷重がロードセル１３によって検出される。ロードセル１３からのアナログ信号は、増幅回路３１において増幅された後、Ａ／Ｄコンバータ３２においてデジタル信号へと変換される。当該変換されたデジタル信号は、制御部３３の演算部３３ｂに送信される。演算部３３ｂは、記憶部３３ａに記憶されたプログラムに従って、受信したデジタル信号からロードセル１３に加えられた荷重（ひいては、計量皿２０に載置された被計量物の重量）を算出することができる。
【００６０】
制御部３３は、被計量物の重量が下限値ＬＬ未満である場合、ＬＥＤ表示部１６を赤色に点灯させる。制御部３３は、被計量物の重量が上限値ＵＬよりも大きい場合、ＬＥＤ表示部１６を黄色に点灯させる。制御部３３は、被計量物の重量が下限値ＬＬ以上かつ上限値ＵＬ以下である（許容重量範囲に含まれている）場合、ＬＥＤ表示部１６を青色に点灯させる。作業者は、当該ＬＥＤ表示部１６の色を確認することで、被計量物の重量が軽量（下限値ＬＬ未満）であるか、過量（上限値ＵＬより大きい）であるか、適量（下限値ＬＬ以上かつ上限値ＵＬ以下）であるか、を容易に判別することができる。
【００６１】
ここで、下限値ＬＬ及び上限値ＵＬは、作業者が予め設定することができる。当該下限値ＬＬ及び上限値ＵＬの設定方法の詳細については後述する。
【００６２】
「ランク選別機能」（設定値００２）は、被計量物の重量が、予め設定された複数のランク（重量の範囲）のうち、どのランクに含まれるかを液晶表示部１５に表示させる機能である。
【００６３】
「自動設定機能」（設定値００３）は、下限値ＬＬ及び上限値ＵＬ（すなわち、許容重量範囲）を簡単に（自動的に）設定、又は呼び出すことができる機能である。「自動設定機能」は、機能的にはさらに３つの機能、すなわち「上下限値簡単設定機能」、「上下限値簡単呼び出し機能」及び「上下限判別機能」に分けることができる。「自動設定機能」における「上下限判別機能」は、設定値００１として割り当てられた「上下限判別機能」と同じ機能である。以下、当該「上下限値簡単設定機能」及び「上下限値簡単呼び出し機能」についてそれぞれ説明する。
【００６４】
「上下限値簡単設定機能」は、下限値ＬＬ及び上限値ＵＬ（すなわち、許容重量範囲）を簡単に設定することができる機能である。以下、図６から図８までを用いて、当該「上下限値簡単設定機能」を用いて下限値ＬＬ及び上限値ＵＬが設定される手順について具体的に説明する。なお、説明の便宜上、図８に示す例では目量を１０（ｇ）としている。
【００６５】
「判別計量モード」において「上下限値簡単設定機能」が実行されると、制御部３３は、計量皿２０に載置される被計量物に関する情報（以下、単に「計量情報」と称する）の蓄積（記憶）を開始する（図６のステップＳ１１１）。当該計量情報は、被計量物の品種を識別するための情報である。本実施形態に係る制御部３３は、図７に示すように、計量情報として、「最初に載せた重量」、「途中で追加もしくは取り除いた重量差分」、「最後に取り除いた重量」、「作業スピード」、「作業時の時刻・曜日」、「載せたときの振動情報」及び「風袋引き量」を蓄積する。制御部３３は、上記計量情報を蓄積（記憶）するために、たとえば、計量値が安定するごとにその安定値を順次蓄積する。
【００６６】
「最初に載せた重量」とは、図８（ａ）や図８（ｄ）等に示すように、計量皿２０に何も載置されていない状態から、当該計量皿２０に被計量物が載置された場合における、当該被計量物の重量である。制御部３３は、たとえば、安定値を順次蓄積するにあたり、安定値「０」が得られた直後の安定値を、「最初に載せた重量」として取得する。例えば、図８（ａ）に示す例（１回目の計量）では、「最初に載せた重量」は３５０（ｇ）である。
【００６７】
「途中で追加もしくは取り除いた重量差分」とは、最初に計量皿２０に載置された被計量物（例えば、図８（ａ）参照）が、計量が終了した後に全て取り除かれる（例えば、図８（ｃ）参照）までに、一部追加されたり取り除かれたりした重量である。制御部３３は、たとえば、安定値を順次蓄積するにあたり、「０」ではない安定値と、その直後の「０」ではない安定値との差分を、「途中で追加もしくは取り除いた重量差分」として取得する。
【００６８】
例えば、図８（ｂ）に示す例（１回目の計量）では、「途中で追加もしくは取り除いた重量差分」とは、６０（ｇ）（追加された重量差分）や８０（ｇ）（取り除かれた重量差分）である。なお、被計量物が１つずつ追加される（又は取り除かれる）場合、当該「途中で追加もしくは取り除いた重量差分」とは当該被計量物１つ分の重量を意味することになる。
【００６９】
「最後に取り除いた重量」とは、計量が終了して、計量皿２０に載置された被計量物が全て取り除かれる際（直前）の重量である。制御部３３は、たとえば、安定値を順次蓄積するにあたり、「０」ではない安定値の直後に、安定値「０」が得られたときに、安定値「０」の直前に得られた安定値を、「最後に取り除いた重量」として取得する。
【００７０】
例えば、図８（ｃ）に示す例（１回目の計量）では、「最後に取り除いた重量」は３３０（ｇ）である。なお、通常、作業者は、被計量物の重量が所定の範囲（目標範囲）内の値になるように計量を行うため、「最後に取り除いた重量」は当該目標範囲内の値であると考えることができる。
【００７１】
「作業スピード」とは、所定時間内に被計量物の計量を行った回数である。本実施形態においては、１分間に行われた計量の回数を意味している。制御部３３は、たとえば、安定値「０」であるときから再度安定値が「０」になるまでの間の時間を、１回の計量にかかる時間として取得すれば、１分間に要する計量回数を取得できる。なお、当該「作業スピード」にはばらつきが生じるため、便宜上、平均値が算出され、蓄積される。例えば、図７に示す例では、「作業スピード」は約５回／分である。
【００７２】
「作業時の時刻・曜日」とは、被計量物の一連の計量作業（例えば、電源が入れられてから、電源が切られるまでに行われた計量作業）が行われた時刻及び曜日である。例えば、図７に示す例では、「作業時の時刻・曜日」は９：０５〜１０：００まで、かつ金曜日である。
【００７３】
「載せたときの振動情報」とは、被計量物を計量皿２０に載置した際に、当該計量皿２０に生じる振動に関する情報である。本実施形態においては、振動に関する情報として、計量皿２０の振幅を記憶している。なお、計量皿２０の振動は、Ａ／Ｄコンバータ３２や振動センサ（不図示）等を介して検出することができる。なお、当該「載せたときの振動情報」にはばらつきが生じるため、便宜上、平均値が算出され、蓄積される。例えば、図７に示す例では、「載せたときの振動情報」は振幅が約１．５（ｍｍ）である。
【００７４】
「風袋引き量」とは、後述する風袋引きによって差し引かれる重量（容器の重量）の値である。例えば、図７に示す例では、「風袋引き量」は０（ｇ）である。すなわち、図７に示す例では風袋引きは行われていない。
【００７５】
制御部３３は、上述の計量情報（「最初に載せた重量」等）の蓄積を開始すると、被計量物が計量されるたびに当該計量情報を蓄積する。なお、作業者は、何も載置されていない計量皿２０に被計量物を載置し（例えば、図８（ａ）参照）、当該被計量物の一部を追加又は取り除いて重量を調節し（例えば、図８（ｂ）参照）、計量皿２０に載置された被計量物の重量が目標範囲内の値になったら当該被計量物を全て取り除く（例えば、図８（ｃ）参照）、という一連の作業を１回の計量として、所望の回数だけ当該計量を繰り返す。図８には、被計量物が４回計量される様子を示している。
【００７６】
制御部３３は、第一所定回数Ｎ１だけ計量が行われると、それまでに蓄積された計量情報に基づいて、下限値ＬＬ及び上限値ＵＬ（すなわち、許容重量範囲）を設定する（図６のステップＳ１１２）。例えば、当該第一所定回数Ｎ１として予め４回が設定されている場合、図８に示すように４回の計量が終了すると、制御部３３はそれまでに蓄積された計量情報に基づく下限値ＬＬ等の設定を行う。
【００７７】
具体的には、制御部３３は、１回目の計量の計量情報（特に、「最初に載せた重量」及び「最後に取り除いた重量」）から、被計量物の重量が３５０（ｇ）だと目標範囲外であり、３３０（ｇ）だと目標範囲内であることを認識することができる。
【００７８】
同様に、制御部３３は、２回目の計量の計量情報から、被計量物の重量が３１０（ｇ）だと目標範囲外であり、３２０（ｇ）だと目標範囲内であることを認識することができる。また制御部３３は、３回目の計量の計量情報から、被計量物の重量が３３０（ｇ）だと目標範囲内であることを認識することができる。また制御部３３は、４回目の計量の計量情報から、被計量物の重量が３４０（ｇ）だと目標範囲外であり、３３０（ｇ）だと目標範囲内であることを認識することができる。
【００７９】
上記４回の計量における計量情報から、作業者が目標としている範囲（目標範囲）は３２０〜３３０（ｇ）であると推定される。そこで制御部３３は、下限値ＬＬとして３２０（ｇ）、上限値ＵＬとして３３０（ｇ）を設定する。なお、本実施形態においては、「最後に取り除いた重量」の値を下限値ＬＬ及び上限値ＵＬとして設定しているため、図７における「最後に取り除いた重量」の値が、当該下限値ＬＬ及び上限値ＵＬ（すなわち、許容重量範囲）と一致することになる。
【００８０】
また、制御部３３は、上記第一所定回数Ｎ１の計量で得られた計量情報を、図７に示すようなテーブルとして記憶する（図６のステップＳ１１３）。制御部３３は、「上下限値簡単設定機能」が実行されるたびに、異なるテーブルとして計量情報を記憶して蓄積する。これらの計量情報には、互いに区別できるような異なる名称（図７に示す「計量データ１番」等）が付される。この場合、たとえば、品種の区別なしに、計量を行うごとに、その計量で得られた計量情報をそれぞれ異なるテーブルに記憶させる態様や、品種ごとに１つのテーブルを固定しておき、同一品種については、計量で計量情報が得られるごとに当該計量情報を同一テーブルに順次更新する態様が考えられる。
【００８１】
このように「上下限値簡単設定機能」が実行されるたびに異なるテーブルに計量情報を記憶することで、品種が異なる被計量物についての複数の計量情報を、それぞれ蓄積することができる。制御部３３は、当該計量情報をＥＥＰＲＯＭ等の不揮発性メモリに記憶する。このため、計量装置１の電源が切られた後も、当該計量情報は消去されない。
【００８２】
なお、前記品種ごとの計量情報は、品種ごとに異なるテーブルとしてだけではなく、すべて同一テーブルに入れておき、品種情報を検索キーとして、対応する計量情報をサーチできるようにしてもよい。
【００８３】
このように上下限値簡単設定機能を用いることで、作業者は自ら計量装置１を操作して具体的な数値を入力する等の操作を行うことなく、単に被計量物の計量を何度か行うだけで、下限値ＬＬ及び上限値ＵＬ（許容重量範囲）を簡単に設定することができる。
【００８４】
また、「上下限値簡単呼び出し機能」は、予め記憶されている下限値ＬＬ及び上限値ＵＬ（許容重量範囲）から、適した下限値ＬＬ等を簡単に呼び出すことができる機能である。以下、図９及び図１０を用いて、当該「上下限値簡単呼び出し機能」を用いて下限値ＬＬ及び上限値ＵＬが呼び出される手順について具体的に説明する。
【００８５】
「判別計量モード」において「上下限値簡単呼び出し機能」が実行されると、制御部３３は、計量皿２０に載置される被計量物に関する情報（計量情報）の蓄積（記憶）を開始する（図９のステップＳ１２１）。「上下限値簡単呼び出し機能」で使用される計量情報としては、例えば、「上下限値簡単設定機能」で使用される計量情報と同じ種類の情報が考えられる。制御部３３は、図１０に示すように、「今回の計量の計量情報」として、「最初に載せた重量」等を蓄積する。制御部３３は、計量情報の蓄積を開始すると、被計量物が計量されるたびに当該計量情報を蓄積する。
【００８６】
制御部３３は、第二所定回数Ｎ２だけ計量が行われると、それまでに蓄積された計量情報に基づいて、今回計量している被計量物の計量情報と、過去に蓄積された複数の計量情報（例えば、図７の計量データ１番の計量情報、計量データ２番の計量情報、・・・）と、の近似度を判定する（図９のステップＳ１２２）。具体的には、制御部３３は、図１０に示すように、今回計量している被計量物の計量情報と、過去に蓄積された計量情報の、各項目を比較する。そして制御部３３は、適宜の判断基準に基づいて、今回計量している被計量物の計量情報と、過去に蓄積された計量情報との近似の度合いを示す近似度を算出する。
【００８７】
当該近似度は、任意の方法（判断基準）によって算出することができる。例えば、計量情報の各項目のうち、値が一致する項目の数に応じて算出することができる。また、各項目ごとに重み付けされた得点（重要な項目ほど高くなるような得点）を設定し、値が一致した項目の合計得点に基づいて算出したりすることもできる。このように、近似度は、今回計量している被計量物が、過去に蓄積された計量情報に係る被計量物と似ているかどうかを判定できるものであればよい。
【００８８】
制御部３３は、近似度を算出すると、当該近似度が所定の閾値以上であり、かつ最も高くなる過去の計量情報を選択し、呼び出す（図９のステップＳ１２３）。なお、「呼び出す」とは、当該計量情報に記憶されている下限値ＬＬ及び上限値ＵＬの値を設定することを意味している。
【００８９】
このように、過去の複数の計量情報のうち、近似度の高い計量情報は、今回計量している被計量物と同一のものであると推定される。このため制御部３３は、近似度の高い計量情報を呼び出し、当該計量情報に基づいて下限値ＬＬ及び上限値ＵＬを設定する。なお、制御部３３は、近似度が所定の閾値未満である場合には、過去の計量情報の中に、今回計量している被計量物と同一のものはないと判断し、当該計量情報の呼び出しを行わない。
【００９０】
このように、上下限値簡単呼び出し機能を用いることで、品物やその品物を取り扱う作業者の特性に応じた適切な下限値ＬＬ及び上限値ＵＬ（許容重量範囲）が設定できる。そのため、作業者は自ら計量装置１を操作して蓄積された計量情報を確認する等の操作を行うことなく、単に被計量物の計量を何度か行うだけで、下限値ＬＬ及び上限値ＵＬ（許容重量範囲）を簡単に設定することができる。
【００９１】
また上下限値簡単呼び出し機能では、過去に蓄積された計量情報と近似する下限値ＬＬ等を設定するため、下限値ＬＬ等を比較的短時間（少ない計量回数）で設定することができる。したがって、本実施形態においては、上下限値簡単呼び出し機能における第二所定回数Ｎ２は、上下限値簡単設定機能における第一所定回数Ｎ１よりも小さい値となるように設定されている。
【００９２】
このように、図５に示す項目０１（「機能の選択」）においては、上述の設定値０００から設定値００３まで、並びにその他の設定値に、それぞれ異なる機能が割り当てられている。
【００９３】
「ブザーに関する設定」（項目０２）は、計量装置１の各機能を実行する際のブザーのオン／オフの切り替えや、ブザーを鳴らすタイミング等を設定するための項目である。作業者は、項目０２を示す表示を液晶表示部１５に表示させた状態で操作キー群１４を適宜操作することで、ブザーのオン／オフの切り替え等の設定を行うことができる。
【００９４】
「ランプに関する設定」（項目０３）は、計量装置１のランプ（ＬＥＤ表示部１６）の輝度を変更するための項目である。作業者は、項目０３を示す表示を液晶表示部１５に表示させた状態で操作キー群１４を適宜操作することで、ＬＥＤ表示部１６の輝度の設定を行うことができる。
【００９５】
次に、「通常計量機能」について説明する。「通常計量機能」とは、先述の通り、単に被計量物の重量を計量するための機能である。
【００９６】
この「通常計量機能」が実行されている際には、計量皿２０に被計量物が載置されると、制御部３３（演算部３３ｂ）は当該被計量物の重量を算出する。演算部３３ｂは、算出された被計量物の重量を液晶表示部１５に表示させる。作業者は、液晶表示部１５の表示を見ることで、被計量物の重量を確認することができる。
【００９７】
「通常計量機能」、「上下限判別機能」、「ランク選別機能」及び「自動設定機能」では、第三操作キー１４ｃを用いて風袋引きを行うことができる。
【００９８】
被計量物の容器（風袋）が計量皿２０に載置された状態で第三操作キー１４ｃが押し込み操作されると、制御部３３は、当該状態で液晶表示部１５に表示される重量（前記容器の重量）が０になるように、重量の算出結果を調整する。この状態で容器に入れられた被計量物を当該容器ごと計量すると、当該容器の重量が差し引かれた被計量物だけの重量が取得される。これによって、容器に入れられた被計量物の正味の重量を容易に計量することができる。
【００９９】
また、「通常計量機能」、「上下限判別機能」、「ランク選別機能」及び「自動設定機能」では、第四操作キー１４ｄを用いて零点リセットを行うことができる。
【０１００】
計量皿２０に被計量物が載っていない状態で第四操作キー１４ｄが押し込み操作されると、制御部３３は、当該状態で液晶表示部１５に表示される被計量物の重量が０になるように、重量の算出結果を調整する。従って、被計量物が計量皿２０に載置されていない状態で第四操作キー１４ｄを押し込み操作することによって、零点（被計量物が計量皿２０に載置されていない状態での液晶表示部１５の表示）のずれを修正することができ、正確な計量を行うことができるようになる。
【０１０１】
次に、計量装置１が有する「電源投入時計量モード」について説明する。「電源投入時計量モード」とは、計量装置１の電源が入れられた際（再起動された場合も含む）に最初に実行される状態（モード）であり、通常は、「通常計量機能」を実行するモードである。以下、図１１を用いて、「電源投入時計量モード」の内容について具体的に説明する。ただし、図４の矢印（２）を見れば判ることではあるが、電源投入時計量モードの実行中において、所定のキー操作をすることにより、判別計量モードに切り替わることは可能である。
【０１０２】
計量装置１の電源が入れられると、制御部３３によって当該計量装置１の状態が「電源投入時計量モード」に切り替えられる。「電源投入時計量モード」においては、まず現在実行されている機能が確認され（図１１のステップＳ１３１）、当該機能に応じたステップへの移行が行われる。
【０１０３】
具体的には、制御部３３は、ステップＳ１３１において、現在「通常計量機能」、「上下限判別機能」、「ランク選別機能」のいずれかが選択（実行）されていると判定した場合には、ステップＳ１３２へと移行する。なお、「はかり設定モード」において「通常計量機能」（設定値０００）が選択されて計量装置１が再起動した場合だけでなく、計量装置１の電源が最初に投入された場合も、「通常計量機能」が実行されているものとする。
【０１０４】
制御部３３は、ステップＳ１３２に移行すると、「電源投入時計量モード」において「通常計量機能」を実行する。すなわち、この場合、単に被計量物の重量を計量することができる。
【０１０５】
また、制御部３３は、ステップＳ１３２から移行したステップＳ１３５において、所定キーが操作されたことを検出すると（ステップＳ１３５のＹ）、判別計量モードに遷移し（ステップＳ１３３）、選択された機能を実行する。一方、制御部３３は、何ら操作がされないときには（ステップＳ１３５のＮ）、そのまま通常計量機能の実行を継続する。
【０１０６】
また、制御部３３は、ステップＳ１３１において、現在「自動設定機能」が実行されていると判定した場合、ステップＳ１３４へと移行する。なお、「はかり設定モード」において「自動設定機能」（設定値００３）が選択されて計量装置１が再起動した場合には、当該「自動設定機能」が実行されている。
【０１０７】
制御部３３は、ステップＳ１３４に移行すると、「電源投入時計量モード」において「自動設定機能」を実行する。具体的には、「自動設定機能」が有する「上下限値簡単設定機能」及び「上下限値簡単呼び出し機能」が並行して実行される。
【０１０８】
「上下限値簡単設定機能」及び「上下限値簡単呼び出し機能」が実行されると、「上下限値簡単設定機能」及び「上下限値簡単呼び出し機能」による計量情報の蓄積が開始される（図６のステップＳ１１１及び図９のステップＳ１２１）。そして、制御部３３は、第二所定回数Ｎ２だけ計量が行われると、今回計量している被計量物の計量情報と、過去に蓄積された計量情報と、の近似度を判定する（図９のステップＳ１２２）。制御部３３は、当該近似度が所定の閾値以上であり、かつ最も高くなる過去の計量情報を選択し、呼び出す（図９のステップＳ１２３）。
【０１０９】
ここで、制御部３３は、該当する計量情報（近似度が所定の閾値以上となる過去の計量情報）がない場合には、計量情報の呼び出しを行わない。この場合、制御部３３は、さらに計量が繰り返され、第一所定回数Ｎ１だけ計量が行われた時点で、下限値ＬＬ及び上限値ＵＬ（すなわち、許容重量範囲）を設定する（図６のステップＳ１１２）とともに、第一所定回数Ｎ１の計量で得られた計量情報を記憶する（図６のステップＳ１１３）。
【０１１０】
このように、「上下限値簡単設定機能」及び「上下限値簡単呼び出し機能」が並行して実行されることにより、今回計量している被計量物の特性と近似する特性を持つ計量情報があれば当該計量情報を呼び出して下限値ＬＬ等を設定し、当該計量情報がなければ今回計量している計量情報から下限値ＬＬ等を設定する。このように、「上下限値簡単設定機能」及び「上下限値簡単呼び出し機能」を並行して実行することで、下限値ＬＬ等を速やかに設定することができる。
【０１１１】
制御部３３は、「上下限値簡単設定機能」又は「上下限値簡単呼び出し機能」によって下限値ＬＬ及び上限値ＵＬ（許容重量範囲）が設定されると、ステップＳ１３３に移行する。
【０１１２】
制御部３３は、ステップＳ１３４からステップＳ１３３に移行すると、「電源投入時計量モード」から「判別計量モード」へと状態を切り替える。これによって、「判別計量モード」において「自動設定機能」が実行されることになる。具体的には、ステップＳ１３３で設定された下限値ＬＬ等に基づいて、「自動設定機能」が有する「上下限判別機能」が実行されることになる。すなわち、これ以降に計量皿２０に載置された被計量物の重量が軽量（下限値ＬＬ未満）であるか、過量（上限値ＵＬより大きい）であるか、適量（下限値ＬＬ以上かつ上限値ＵＬ以下）であるか、を判別することができる。
【０１１３】
このように、本実施形態の計量装置１では、「自動設定機能」において、「上下限値簡単設定機能」及び「上下限値簡単呼び出し機能」が実行され、下限値ＬＬ等が設定された後に自動的に「上下限判別機能」が実行される。このように構成されることで、作業者は、被計量物の計量作業を繰り返すだけで、下限値ＬＬ等を自動的に設定し、また自動的に「上下限判別機能」の利用を開始することができる。
【０１１４】
この「電源投入時計量モード」において「自動設定機能」が実行されると、下限値ＬＬ等が実際の計量状況によって自動的に定められるが、作業者は必要に応じて手動で当該下限値ＬＬ等を設定してもよい。
【０１１５】
具体的には、「電源投入時計量モード」において「自動設定機能」が実行されている状態で、「品種番号選択モード」を介して「品種設定モード」に状態が切り替えられると（図４参照）、図１２に示すような下限値ＬＬ等の設定を手動で行うことができる。作業者は操作キー群１４を適宜操作することで、設定を行うテーブルの名称（品種番号）の指定（ステップＳ１４１）、下限値ＬＬの設定（ステップＳ１４２）、上限値ＵＬの設定（ステップＳ１４３）、下限値ＬＬ及び上限値ＵＬの確定（登録完了）（ステップＳ１４４）を手動で行うことができる。
【０１１６】
また、「判別計量モード」において「上下限判別機能」が実行されている状態でも同様に、作業者は手動で下限値ＬＬ等を設定することができる。具体的には、「判別計量モード」において「上下限判別機能」が実行されている状態で、「品種番号選択モード」を介して「品種設定モード」に状態が遷移すると（図４参照）、図１２に示すような下限値ＬＬ等の設定を手動で行うことができる。
【０１１７】
また、「判別計量モード」において「ランク選別機能」が実行されている状態においては、作業者は手動でランク（各ランクの重量範囲）を設定することができる。具体的には、「判別計量モード」において「ランク選別機能」が実行されている状態で、「品種番号選択モード」を介して「品種設定モード」に状態が切り替えられると（図４参照）、図１３に示すようにランクの設定を手動で行うことができる。作業者は操作キー群１４を適宜操作することで、設定を行うテーブルの名称（品種番号）の指定（ステップＳ１５１）、ランク１（１つ目のランク）の下限値の設定（ステップＳ１５２）、ランク２（２つ目のランク）の下限値の設定（ステップＳ１５３）、・・・、各ランクの下限値の確定（登録完了）（ステップＳ１５４）を手動で行うことができる。
【０１１８】
「品種設定モード」において各設定が終了すると、当該「品種設定モード」から「判別計量モード」に状態が切り替えられ、「上下限判別機能」等を用いた計量が可能となる。
【０１１９】
以上の如く、本実施形態に係る計量装置１は、
被計量物を載置可能な計量皿２０（載置部）と、
前記計量皿２０に載置された被計量物の重量を計量可能な計量部（制御部３３）と、
前記計量皿２０に載置された被計量物が取り除かれる際の重量（「最後に取り除いた重量」）を少なくとも含む計量情報を蓄積し、蓄積された前記計量情報に基づいて前記被計量物の許容重量範囲（下限値ＬＬ及び上限値ＵＬ）を決定し、前記許容重量範囲を記憶する上下限値簡単設定機能（許容範囲設定機能）を実行可能な機能実行部（制御部３３）と、
を具備するものである。
このように構成することにより、許容重量範囲を簡単に設定することができる。すなわち、作業者は、通常通り、被計量物の計量作業（目標範囲となるような計量作業）を行うだけで、自動的に許容重量範囲を設定することができる。これによって、簡単に上下限判別機能を実行するための準備（許容重量範囲の設定）を行うことができる。
【０１２０】
また、前記機能実行部は、
前記上下限値簡単設定機能により前記許容重量範囲が記憶された場合、前記計量部によって計量される被計量物が記憶された当該許容重量範囲に含まれているか否かを判定する上下限判別機能（第一判定機能）の実行を開始するものである（図１１参照）。
このように構成することにより、上下限判別機能を簡単に利用することができる。すなわち、上下限値簡単設定機能によって許容重量範囲が設定されると自動的に上下限判別機能が実行されるため、作業者は計量作業を継続するだけで上下限判別機能を利用することができる。
【０１２１】
また、前記上下限値簡単設定機能は、
前記許容重量範囲を前記被計量物の品種ごとに記憶するものであり、
前記機能実行部は、
前記計量部によって計量される前記被計量物の前記計量情報に基づいて、前記上下限値簡単設定機能により記憶された品種ごとの前記許容重量範囲の中から最適な前記許容重量範囲を選択する上下限値簡単呼び出し機能（許容範囲選択機能）を実行可能である。
このように構成することにより、許容重量範囲を簡単に設定することができる。すなわち、予め記憶された許容重量範囲を呼び出すことで、比較的短時間で許容重量範囲を設定することができる。
【０１２２】
また、前記機能実行部は、
前記上下限値簡単呼び出し機能により前記許容重量範囲が選択された場合、前記計量部によって計量される被計量物が選択された当該許容重量範囲に含まれているか否かを判定する上下限判別機能（第二判定機能）の実行を開始するものである（図１１参照）。
このように構成することにより、上下限判別機能を簡単に利用することができる。すなわち、上下限値簡単呼び出し機能によって許容重量範囲が設定されると自動的に上下限判別機能が実行されるため、作業者は計量作業を継続するだけで上下限判別機能を利用することができる。
【０１２３】
なお、本実施形態に係る計量皿２０は、本発明に係る載置部の実施の一形態である。
また、本実施形態に係る制御部３３は、本発明に係る計量部及び機能実行部の実施の一形態である。
また、本実施形態に係る上下限値簡単設定機能は、本発明に係る許容範囲設定機能の実施の一形態である。
また、本実施形態に係る上下限判別機能は、本発明に係る第一判定機能及び第二判定機能の実施の一形態である。
また、本実施形態に係る上下限値簡単呼び出し機能は、本発明に係る許容範囲選択機能の実施の一形態である。
【０１２４】
以上、本発明の実施形態を説明したが、本発明は上記構成に限定されるものではなく、特許請求の範囲に記載された発明の範囲内で種々の変更が可能である。
【０１２５】
例えば、計量装置１の各部の構成（形状、大きさ等）は限定するものではなく、適宜変更することが可能である。
【０１２６】
また、本実施形態においては、「上下限値簡単設定機能」と「上下限値簡単呼び出し機能」を並行して実行する例を示したが、本発明はこれに限るものではなく、「上下限値簡単設定機能」と「上下限値簡単呼び出し機能」をそれぞれ個別に実行してもよい。
【０１２７】
また、本実施形態の「上下限値簡単設定機能」では、「最後に取り除いた重量」（図６参照）の値そのものを下限値ＬＬ及び上限値ＵＬとして設定する例を示したが、本発明はこれに限るものではない。すなわち、当該「最後に取り除いた重量」の値に適宜の処理（補正）を施して下限値ＬＬ及び上限値ＵＬを設定してもよい。例えば、複数回行われた計量の中で、誤りだと思われる「最後に取り除いた重量」の値（例えば、他の値と大きく異なる場合等）が含まれている場合には、当該値を省いた上で、下限値ＬＬ及び上限値ＵＬを設定することができる。なお、この場合、「最後に取り除いた重量」の値と実際に設定する下限値ＬＬ及び上限値ＵＬの値は異なることになるため、計量情報を記憶するテーブル（図６参照）に、「最後に取り除いた重量」の項目とは別に、「下限値ＬＬ及び上限値ＵＬ」の項目を設けて設定された下限値ＬＬ等を記憶することが望ましい。
【０１２８】
また、本実施形態の「上下限値簡単設定機能」では、第一所定回数Ｎ１だけ計量が行われると、下限値ＬＬ及び上限値ＵＬの設定を行うものとして説明したが、下限値ＬＬ等を設定するタイミング（計量の回数）はこれに限るものではない。例えば、当該回数（第一所定回数Ｎ１）を作業者が任意に変更可能としてもよい。また、第一所定回数Ｎ１を一定の値に定めるのではなく、下限値ＬＬ等を設定するために必要な情報が蓄積されたと制御部３３が判断した時点で、当該下限値ＬＬ等の設定を行うように構成することも可能である。例えば、作業者の所望する目標範囲の境界となる重量値（すなわち、下限値ＬＬ及び上限値ＵＬ）が判明した時点で下限値ＬＬ等の設定を行うように構成することで、当該下限値ＬＬ等の設定を極力短時間で完了させることができる。
【０１２９】
また、本実施形態の「上下限値簡単呼び出し機能」では、第二所定回数Ｎ２だけ計量が行われると、計量している被計量物の計量情報と過去に蓄積された計量情報との近似度を判定するものとして説明したが、当該近似度を判定するタイミング（計量の回数）はこれに限るものではない。例えば、当該回数（第二所定回数Ｎ２）を作業者が任意に変更可能としてもよい。また、第二所定回数Ｎ２を一定の値に定めるのではなく、計量を行うたびに近似度を判定し、近似度の高い計量情報が見つかった時点で当該計量情報を呼び出す構成とすることも可能である。
【符号の説明】
【０１３０】
１      計量装置
１０    本体部
１３    ロードセル
１４    操作キー群
１５    液晶表示部
１６    ＬＥＤ表示部
２０    計量皿
３３    制御部
【図１】
2019015669.tif 000003
【図２】
2019015669.tif 000004
【図３】
2019015669.tif 000005
【図４】
2019015669.tif 000006
【図５】
2019015669.tif 000007
【図６】
2019015669.tif 000008
【図７】
2019015669.tif 000009
【図８】
2019015669.tif 000010
【図９】
2019015669.tif 000011
【図１０】
2019015669.tif 000012
【図１１】
2019015669.tif 000013
【図１２】
2019015669.tif 000014
【図１３】
2019015669.tif 000015